(57)【要約】      （修正有）【課題】使用者の要望などに応じて引出しの配置を変更可能な引出内複数の着脱可能な収納箱体を持つ収納家具を提供する。【解決手段】複数段の引出しを備えた収納家具において、家具本体の複数段の引出し収容部が、１〜４個の区画に仕切る箱体であって、前記各箱体を移行するスライドレール２上に載置できるようにした着脱自在にして交換・置き換えできる箱体１になっていることを特徴とする。【選択図】図２
0003184534.tif 000002
【実用新案登録請求の範囲】
【請求項１】
複数段の引出しを備えた収納家具において、家具本体の複数段の引出し収容部が、１〜４個の区画に仕切る箱体であって、前記各箱体を着脱自在にして嵌脱できる箱体を移行するスライドレール上に載置できるようになっていることを特徴とする引出内複数の着脱可能な収納箱体を持つ収納家具。
【請求項２】
前記着脱可能な箱体を収納している引出し収容部は、サイドに２個のスライドレールを両側に平行に位置させ、該スライドレールに内設した移動レールの上面に載置して、引出し収容部における取手付き前面板に前記レールの先端を取り付けて、スライドレールを固定していることを特徴とする請求項１記載の引出内複数の着脱可能な収納箱体を持つ収納家具。
【請求項３】
引出内複数の着脱可能な収納箱を持つ収納家具は、表面を木製にして、寸法として高さ６００〜１８００ｍｍ、横幅６００〜１８００ｍｍ、奥行き４００〜１０００ｍｍであり、前記着脱可能な箱体を収納している各引出し収容部の前面板に、金属製、又は樹脂製のスライドレールを取り付けており、前記のスライドレール上に１〜４個の高さ１００〜３００ｍｍ、横幅３００〜１２００ｍｍ、奥行き４００〜４５０ｍｍの木製、又は樹脂製の箱体を載置させていることを特徴とする請求項１又は請求項２記載の引出内着脱可能な複数の収納箱体を持つ収納家具。
【請求項４】
各木製箱体は、季節ごとに衣服、肌着、靴下、ハンカチ、タオル等の衣類を収納して、前面に近季に着用している衣類を先入先出しできるようにした１〜４個の収納ボックス形式の箱体になっていることを特徴とする請求項１〜請求項３のいずれかに記載の引出内着脱可能な複数の収納箱体を持つ収納家具。
【請求項５】
２本のスライドレールは、各引出し収容部との同位置の家具側板内面に、かつ水平に固定し、該スライドレールを内設したローラー付き移動レ−ルの先端部に係止溝を設置した収納ケースを取り付けていることを特徴とする請求項１〜請求項４のいずれかに記載の引出内着脱可能な複数の収納箱体を持つ収納家具。
【考案の詳細な説明】
【技術分野】
【０００１】本考案は、整理箪笥あるいは収納キャビネットなどのように、物品収納用の置き換え可能の引出しを備えた収納家具で、パンツ、肌着、靴下、ハンカチ、タオル等（以下衣類）を先に入れたものから順に取り出していくようにした収納ボックスで、衣類の使用頻度を均等化するための収納ボックスを置き換えることができる収納家具に関する。
【背景技術】
【０００２】整理箪笥などの収納家具については、従来より、様々なデザインやサイズのものが開発されているが、一般的な整理箪笥としては、この整理箪笥は、出し入れ自在な複数段の引出しを備え、それぞれの中に物品を収納することができる。【０００３】このような整理箪笥の使い方については特に制約はないが、下方に位置する引出しは比較的大きな物品あるいは重い物品などの収納用として使用され、上方に位置する引出しは比較的軽い物品の収納用として使用されることが多い。【０００４】また、箪笥の最上部分に横方向に並列して配置されている小幅の引出しは、毎日のように出し入れすることの多い、靴下やハンカチなどの日常用品、あるいは装身具などの小物類を収納するために使用されることが多い。このように、従来の箪笥は、収納する物品の大きさや重さ、あるいは種類などに応じて、これらの引出しが使い分けられている。【０００５】現在、タンスや収納ボックスに入れられた衣類は片方からのみの出し入れのため必ずしも先に入れたものから順に取り出して使われているとは限らない。先に補充した衣類と後から補充した衣類が混在してしまいがちである。【０００６】この改善策として、両方向から引き出し可能な引出の中にＬ字もしくは逆Ｔ字の仕切りをセットし、衣類を取り出すスペースと衣類の補充スペースを区分することで先入先出しを簡単にする。【０００７】一般家庭の押入或はクロ−ゼットの床面は、ベニヤ板やフロ−リング材等を用いて張り付けられている。また、棚板も木材や鋼材が用いられており、これらの上面に収納品を載置している。また、タンスには複数個の引き出しが取り外し自在に収納されている。【０００８】床面を基準として衣類ハンガー吊りバーを奥行方向に配置することにより、物品収納部の出し入れの操作面を前面側に配置することでき、これを和箪笥同様の収納部として利用できる。衣類ハンガー吊りバーに掛けられた衣類は、通常、奥行方向に前後に移動できるので、ハンガーに掛けられた衣類を出し入れすることは容易である。また、物品収納部の上面が棚になり、その側壁がハンガーバー側の空間区分け壁として利用できることから全体としてコンパクトで収納効率のよい衣類収納庫が提案されている（特許文献１参照）。【０００９】また複数段の引出しを備えた収納家具において、家具本体の複数段の引出し収容部のいずれかに、引出し収容部を複数の区画に仕切る仕切り部材を着脱自在に設けた収納家具が提案されている（特許文献２参照）。【００１０】収納家具において、引出しと近接する天板側に上下又は左右に可動する吸引片を取付け、該吸引片の動きを紐等の手段で他の引出しの仕切板部に設けた係止片を連動させ、該吸引片や係止片が引出しの凹部に係合するように構成した磁石構造ロック機構である。吸引片は操作磁石によって上下される方法が提案されている（特許文献３参照）。【００１１】引出し等の可動体をベースに対して、引き込む操作及び引き出す操作の両方向のスライド操作を補助することができるようにしたものも提案されている（特許文献４参照）。
また引出しの両面に取手をつけその中に中仕切りを置いて、仮に衣類の取り出し専用スペースと補充専用スペースを設定して、取り出し専用スペースの衣類が無くなったら引出を全部抜き出し、１８０度回転させて置き換えて差し込み、これを繰り返せば使用頻度が均一になる収納ボックスが提案されている（特許文献５参照）。【００１２】上記のように、箪笥などでの衣類の区別など工夫がなされており、とくに箪笥の引出に仕切りして衣類などの区分をしており、また引出の開閉を容易にするスライドレールを用いるものも存在するが、しかし引出の箱自体を交換できるようになっているものは存在していない。
【先行技術文献】
【特許文献】
【００１３】
【特許文献１】特開平６−７２２５号公報
【特許文献２】特開平１１−３３２６６７号公報
【特許文献３】特開２００２−１６５６５７号公報
【特許文献４】特開２００６−２６３３２号公報
【特許文献５】特開２００９−２６１９６６号公報
【考案の概要】
【考案が解決しようとする課題】
【００１４】押入或はクロ−ゼットの奥部に載置した収納品、奥の深い棚板の奥部に載置した収納品を取り出すときには、手前の収納品を予め除去又は移動しないと、取り出しが困難であった。また、不安定な姿勢或は身体に好ましくない姿勢で作業しなければならなかった。また、タンスの引き出しは、引き出し全部を手前に引き出すと外れる構造となっているために、途中までしか引き出すことができないので、収納物を出し入れするときに不便であった。【００１５】従来の整理箪笥の場合、引出しの配列は最初から定められているため、購入後、使用者が簡単に変更することはできない。特に、小物類や日常用品の収納用として使われることの多い小幅の引出しは、整理箪笥のように最上部分に位置していることが多いが、これらの引出しの位置を移動することはできない。したがって、この整理箪笥を、身長の小さな人や腰の曲がった老人などが使用する場合、最上部分にある小幅の引出しに手が届きにくいため、一日のうちに何度も出し入れすることの多い日常用品の収納用として使うには不便である。【００１６】一方、これらの小幅の引出しは比較的軽い力で引出し可能であるため、幼児の居る家庭などの場合、幼児が誤って引き出すことのないように、前述とは逆に、手の届かない高い位置にあることが望ましい。このように、整理箪笥などにおける引出しの配置、特に小幅の引出しの配置位置については、使用者によって異なる様々な要望があるにもかかわらず、従来の整理箪笥の場合、引出しの位置は最初から固定されており、購入後の変更は殆ど不可能であるため、使用者にとって不便である。【００１７】そこで、本考案が解決しようする課題は、使用者の要望などに応じて引出しの配置を変更可能な収納家具を提供することにある。上記のように、箪笥などでの衣類の区別など工夫がなされており、とくに箪笥の引出に仕切りして衣類などの区分をしており、また引出の開閉を容易にするスライドレールを用いるものも存在する。しかし引出の箱自体を交換できるようになっているものは存在していない。【００１８】収納ボックスに日常的に出し入れする衣類を先に入れたものから順にいかにして簡単に取り出して使っていくことができるか、いかにして均等に使用できるかである。収納ボックスの中の衣類の先入先出しについてである。
【課題を解決するための手段】
【００１９】複数段の引出しを備えた収納家具において、家具本体の複数段の引出し収容部が、１〜４個の区画に仕切る箱体であって、前記各箱体を着脱自在にして嵌脱できる箱体を移行するスライドレール上に載置できるようになっている引出内複数の着脱可能な収納箱体を持つ収納家具である。【００２０】前記着脱可能な箱体を収納している引出し収容部は、サイドに２個のスライドレールを両側に平行に位置させ、該スライドレールに内設した移動レールの上面に載置して、引出し収容部における取手付き前面板に前記レールの先端を取り付けて、スライドレールによって固定されている。【００２１】引出内複数の着脱可能な収納箱を持つ箪笥収納家具は、表面を木製であって、寸法として高さ６００〜１８００ｍｍ、横幅６００〜１８００ｍｍ、奥行き４００〜１０００ｍｍであり、前記着脱可能な箱体を収納している各引出し収容部の前面板に、金属製、又は樹脂製のスライドレールを取り付けており、前記のスライドレール上に１〜３個の高さ２００〜３００ｍｍ、横３００〜１８００ｍｍ、幅２００〜９００ｍｍの木製、又は樹脂製の箱体を載置させている。【００２２】各木製箱体は、季節ごとに衣服、肌着、靴下、ハンカチ、タオル等の衣類を収納して、前面に近季に着用している衣類を先入先出しできるようにした１〜４個の収納ボックス形式の箱体になっている。【００２３】２本のスライドレールは、各引出し収容部との同位置の家具側板内面に、かつ水平に固定し、該スライドレールを内設したローラー付き移動レ−ルの先端部に係止溝を設置した収納ケースを取り付けている引出内着脱可能な複数の収納箱体を持つ収納家具である。【００２４】前記課題を解決するため、本考案は、複数段の引出しを備えた収納家具において、家具本体の複数段の引出し収容部のいずれかに、引出し収容部を複数の区画に仕切る仕切り部材を着脱自在に設けたことを特徴とする。このような構成とすることにより、複数段の引出し収容部のうちのいずれかを選択して仕切り部材を装着すれば、複数の区画に仕切られる引出し収容部の位置を自由に変えることが可能となるため、使用者の要望などに応じて、引出しの配置状態を変更することができるようになる。【００２５】また、本考案の収納家具では、仕切り部材を、引出し収容部に着脱可能に固定するための係止手段を設けることができる。このような構造とすることにより、使用中に離脱しないように、仕切り部材を引出し収容部に確実に固定することが可能となるとともに、仕切り部材の着脱性も向上する。なお、係止手段としては、引出し収容部に形成された係合部に対して係合する出没自在な弾性部材や突起部材などを仕切り部材に設けた構造、あるいはマグネットやビスなどにより仕切り部材を引出し収容部に固定する構造などを好適に採用することができる。
【考案の効果】
【００２６】本考案の引出内着脱可能な複数の収納箱を持つ収納家具により、以下の効果を奏することができる。とくに収納箱内の位置移動が簡単に行うことができて、また収納家具全体の移動がスムーズにできるようになった。【００２７】（１）複数段の引出しを備えた収納家具において、家具本体の複数段の引出し収容部のいずれかに、引出し収容部を複数の区画に仕切る仕切り部材を着脱自在に設けることにより、複数段の引出し収容部のいずれかを選択して仕切り部材を装着すれば、複数の区画に仕切られる引出し収容部の位置を変えることが可能となるため、使用者の要望などに応じて、引出しの配置状態を変更することができるようになる。【００２８】（２）仕切り部材を引出し収容部に交換、置き換えなどの着脱可能に固定するための係止手段を設けることにより、使用中に離脱しないように、仕切り箱体を引出し収容部に確実に固定することが可能となるとともに、仕切り部材の着脱性も向上する。またスライドレール機構によって簡単に引き出すことができる。【００２９】（３）木製箱体に、一部が外部に開口した中空部を設けることにより、目立たない位置にある仕切り箱体の中空部を利用して物品を収納することが可能となるため、秘匿すべき物品を収納する場合などの利便性が向上する。収納した物品の離脱を防止することが可能となるため、箱体を引き出し部の家具本体に着脱する場合、あるいは家具本体から箱体を移動する場合などにおける、収納中の物品の脱落や紛失を防止することができる。【００３０】床板と収納板の間に隙間を保つことができるので、通風が良くなり湿気やかびから収納物を保護することができる。居室部へ完全に引き出されるから、奥側又は他の物品に下積みされた物品を出し入れするのが容易である。奥側又は他の物品に下積みされた物品や、棚に載置した物品を出し入れする場合でも、無理な姿勢又は不安定な姿勢で作業することがないので、転倒、落下、或は身体部位の打撲等の危険を防止することができる。
【図面の簡単な説明】
【００３１】
【図１】引出内着脱可能な３段の引出しを持つ箪笥の斜視図
【図２】引出内着脱可能な１個の収納箱体を持つ収納容器状態の斜視図
【図３】引出内着脱可能な２個の収納箱体を持つ収納容器状態の斜視図
【図４】サイドに２個のスライドレールを両側に平行に位置させ、該スライドレールの状態図
【図５】該スライドレールに、２個、４個の収納箱体を載せた状態図  Ａ：２個の収納箱体  Ｂ：４個の収納箱体
【図６】引出内着脱可能な複数の収納箱を持つ箪笥の斜視図  Ａ：広幅狭奥行き６段  Ｂ：狭幅狭奥行き６段  Ｃ：狭幅広奥行き９段
【考案を実施するための形態】
【００３２】以下、本考案の実施の形態を図面に基づいて説明する。図１は引出内着脱可能な複数の収納箱を持つ箪笥の斜視図、図２は引出内着脱可能な複数の収納箱体の斜視図、図３は引出し収容部の取り付け状態図、図４はサイドに２個のスライドレールを両側に平行に位置させ、該スライドレールに２個の収納箱体を載せた状態図、図５は該スライドレールに４個の収納箱体を載せた状態図である。
【実施例１】
【００３３】３段の引出しを備えた収納家具において、１個の区画に仕切る箱体であって、前記各箱体を着脱自在にして嵌脱できる箱体を移行するスライドレール上に載置できるようにした引出内に一つの着脱可能な収納箱体を持つ収納家具である。【００３４】前記着脱可能な箱体を収納している引出し収容部は、サイドに２個のスライドレールを両側に平行に位置させ、該スライドレールに内設した移動レールの上面に載置して、引出し収容部における取手付き前面板に前記レールの先端を取り付けて、スライドレールによって固定された。【００３５】引出内複数の着脱可能な収納箱を持つ箪笥収納家具は、表面をタモ材であって、寸法として高さ９００ｍｍ、横幅１２００ｍｍ、奥行き４５０であり、前記着脱可能な箱体を収納している各引出し収容部の前面板に、金属製のスライドレールを取り付けており、前記のスライドレール上に１個の高さ２００ｍｍ、横１１００ｍｍ、幅４２０ｍｍの木製の箱体を載置させた。【００３６】季節ごとに衣服、肌着、靴下、ハンカチ、タオル等の衣類を収納して、前面に近季に着用している衣類を先入先出しできるようにした２個の箱を季節ごとに交換出来る収納ボックス形式の箱体になった。２本のスライドレールは、各引出し収容部との同位置の家具側板内面に、かつ水平に固定し、該スライドレールを内設したローラー付き移動レ−ルの先端部に係止溝を設置した収納ケースを取り付けた。【００３７】箪笥の引出内の箱体を取り出すことができて、季節によって交換でき、また箪笥の移動において、すべての箱体を取り出して、軽量にして希望する場所に簡単に移転できた。
【実施例２】
【００３８】図５Ａに示すように３段の引出しを備えた収納家具において、前後２個の区画に仕切る箱体であって、前記各箱体を着脱自在にして嵌脱できる箱体を移行するスライドレール上に載置できるようにした引出内複数の着脱可能な収納箱体を持つ収納家具である。前記着脱可能な箱体を収納している引出し収容部は、サイドに２個のスライドレールを両側に平行に位置させ、該スライドレールに内設した移動レールの上面に載置して、引出し収容部における取手付き前面板に前記レールの先端を取り付けて、スライドレールによって固定された。【００３９】引出内複数の着脱可能な収納箱を持つ箪笥収納家具は、表面をＭＤＦエナメル塗装であって、寸法として高さ９００ｍｍ、横幅８００ｍｍ、奥行き９００であり、前記着脱可能な箱体を収納している各引出し収容部の前面板に、金属製のスライドレールを取り付けており、前記のスライドレール上に２個の高さ２００ｍｍ、横幅７００ｍｍ、奥行き４００ｍｍの桐材の前後２個の箱体を載置させた。【００４０】各木製箱体は、季節ごとに衣服、肌着、靴下、ハンカチ、タオル等の衣類を収納して、前面に近季に着用している衣類を先入先出しできるようにした２個の収納ボックス形式の箱体になった。２本のスライドレールは、各引出し収容部との同位置の家具側板内面に、かつ水平に固定し、該スライドレールを内設したローラー付き移動レ−ルの先端部に係止溝を設置した収納ケースを取り付けた。【００４１】箪笥の引出内の箱体を取り出すことができて、季節によって交換でき、また箪笥の移動において、すべての箱体を取り出して、軽量にして希望する場所に簡単に移転できた。
【実施例３】
【００４２】図５Ｂの３段の引出しを備えた収納家具において、４個の区画に仕切る箱体であって、前記各箱体を着脱自在にして嵌脱できる箱体を移行するスライドレール上に載置できるようにした引出内複数の着脱可能な収納箱体を持つ収納家具である。
前記着脱可能な箱体を収納している引出し収容部は、サイドに２個のスライドレールを両側に平行に位置させ、該スライドレールに内設した移動レールの上面に載置して、引出し収容部における取手付き前面板に前記レールの先端を取り付けて、スライドレールによって固定された。【００４３】引出内複数の着脱可能な収納箱を持つ箪笥収納家具は、表面を木製であって、寸法として高さ９００ｍｍ、横幅１２００ｍｍ、奥行き９００であり、前記着脱可能な箱体を収納している各引出し収容部の前面板に、金属製のスライドレールを取り付けており、前記のスライドレール上に２個の高さ２００ｍｍ、横５９５ｍｍ、幅４００ｍｍのＰＰ製の４個の箱体を載置させた。【００４４】各木製箱体は、季節ごとに衣服、肌着、靴下、ハンカチ、タオル等の衣類を収納して、使用頻度に応じて前面に近季に着用している衣類を先入先出しできるようにした４個の収納ボックス形式の箱体になった。
２本のスライドレールは、各引出し収容部との同位置の家具側板内面に、かつ水平に固定し、該スライドレールを内設したローラー付き移動レ−ルの先端部に係止溝を設置した収納ケースを取り付けた。【００４５】箪笥の引出内の箱体を取り出すことができて、季節によって交換でき、また箪笥の移動において、すべての箱体を取り出して、軽量にして希望する場所に簡単に移転できた。
【符号の説明】
【００４６】１．引出内着脱可能な収納箱体
２．スライドレール
３．天板
４．側板
５．前板
６．引出取手
７．横桟
８．縦桟
９．収納箱体取手
【図１】
0003184534.tif 000003
【図２】
0003184534.tif 000004
【図３】
0003184534.tif 000005
【図４】
0003184534.tif 000006
【図５】
0003184534.tif 000007
【図６】
0003184534.tif 000008